(57)【要約】【課題】電気錠装置のハードウェア構成を簡易にする。【解決手段】電気錠装置１０は、所定の信号を契機として解錠される電気錠１０１と、端末装置２０からの電磁波によって生じる誘導起電力により動作し、無線通信を介して自機の識別子を端末装置２０に送信し、当該識別子に対応する電気錠１０１を解錠する権限を有する端末装置２０から無線通信を介して電気錠１０１を解錠させるための指示を受信すると、所定の信号を出力するＮＦＣタグ１０２と、当該信号を伝送する信号線に接続され、当該信号線を介して信号が入力されると、電気錠１０１を解錠する制御を行う制御盤１０３とを有する。【選択図】図１
2016089554.tif 000002
【特許請求の範囲】
【請求項１】
所定の信号を契機として解錠される電気錠と、
外部装置からの電磁波によって生じる誘導起電力により動作し、無線通信を介して自機の識別子を当該外部装置に送信し、当該識別子に対応する電気錠を解錠する権限を有する端末であることが認証された当該外部装置から前記無線通信を介して前記電気錠を解錠させるための指示を受信すると、前記信号を出力するＲＦＩＤタグと、
前記信号を伝送する信号線に接続され、当該信号線を介して前記信号が入力されると、前記電気錠を解錠する制御を行う制御手段と
を有する電気錠装置。
【請求項２】
前記ＲＦＩＤタグから出力された信号に応じて前記制御手段への電力の供給の有無が切り替わる電源を有し、
前記制御手段は、前記電源から供給された電力を利用して前記電気錠を解錠する制御を行う
ことを特徴とする請求項１に記載の電気錠装置。
【請求項３】
前記ＲＦＩＤタグは、前記誘導起電力を前記制御手段に供給し、
前記制御手段は、前記誘導起電力を利用して前記電気錠を解錠する制御を行う
ことを特徴とする請求項１に記載の電気錠装置。
【請求項４】
前記制御手段は、通信ネットワークに接続されていない
ことを特徴とする請求項１ないし３のいずれか１項に記載の電気錠装置。
【請求項５】
前記ＲＦＩＤタグは、前記電気錠装置の状態を示す情報を、前記無線通信を介して前記外部装置に送信する
ことを特徴とする請求項１ないし４のいずれか１項に記載の電気錠装置。
【請求項６】
電気錠装置と端末装置とを有し、
前記電気錠装置は、
所定の信号を契機として解錠される電気錠と、
前記端末装置からの電磁波によって生じる誘導起電力により動作し、無線通信を介して自機の識別子を当該端末装置に送信し、当該識別子に対応する電気錠を解錠する権限を有する端末であることが認証された当該端末装置から前記無線通信を介して前記電気錠を解錠させるための指示を受信すると、前記信号を出力するＲＦＩＤタグと、
前記信号を伝送する信号線に接続され、当該信号線を介して前記信号が入力されると、前記電気錠を解錠する制御を行う制御手段と
を有し、
前記端末装置は、
電磁波を発生させて前記ＲＦＩＤタグから前記識別子を受信し、前記指示を前記ＲＦＩＤタグに送信するＲＦＩＤリーダ／ライタと
を有する電気錠システム。
【請求項７】
サーバ装置をさらに有し、
前記サーバ装置は、
前記端末装置を認証するための認証情報を記憶する第１記憶手段と、
前記ＲＦＩＤタグの識別子および前記端末装置の識別子を含む情報を前記端末装置から受信する受信手段と、
前記認証情報および前記情報に含まれた識別子を利用して前記端末装置を認証する認証手段と
を有し、
前記端末装置は、
前記情報を前記サーバ装置に送信する送信手段を有し、
前記ＲＦＩＤリーダ／ライタは、前記サーバ装置により前記端末装置が認証されると前記指示を前記ＲＦＩＤタグに送信する
ことを特徴とする請求項６に記載の電気錠システム。
【請求項８】
前記サーバ装置は、
前記認証手段により認証された端末装置の識別子を記憶する第２記憶手段を有する
ことを特徴とする請求項７に記載の電気錠システム。
【請求項９】
ＲＦＩＤリーダ／ライタを有するコンピュータに、
電気錠を有する電気錠装置に組み込まれたＲＦＩＤタグから当該ＲＦＩＤタグの識別子を、前記ＲＦＩＤリーダ／ライタを介して読み取るステップと、
前記識別子に対応する電気錠を解錠する権限を有することが認証されると、当該電気錠を解錠させるための指示を、前記ＲＦＩＤリーダ／ライタを介して前記ＲＦＩＤタグに送信するステップと
を実行させるためのプログラム。
【請求項１０】
電気錠およびＲＦＩＤタグを有する電気錠装置、並びにＲＦＩＤリーダ／ライタを有する端末装置を有する電気錠システムにおける制御方法であって、
前記端末装置が前記ＲＦＩＤリーダ／ライタを介して前記ＲＦＩＤタグの識別子を当該ＲＦＩＤタグから読み取るステップと、
前記読み取られた識別子に対応する電気錠を解錠する権限を有する端末であるか前記端末装置を認証するステップと、
前記端末装置が認証された場合、前記端末装置が前記ＲＦＩＤリーダ／ライタを介して前記電気錠を解錠させるための指示を前記電気錠装置に送信するステップと、
前記指示を受信すると、前記電気錠装置が前記電気錠を解錠するステップと
を有する制御方法。
【発明の詳細な説明】
【技術分野】
【０００１】
本発明は、電気錠装置、電気錠システムおよびプログラムに関する。
【背景技術】
【０００２】
スマートフォンなどの端末装置を利用して、電気錠の施解錠を行う技術が提案されている。特許文献１には、電子錠を遠隔操作で施解錠するための技術として、携帯情報端末がカードキーから読み取った認証情報を情報センターに送信し、情報センターが認証結果を元に、施解錠の指令を、電気錠を制御するＨＥＭＳに送信することが記載されている。特許文献２には、非接触ＩＣチップを搭載した携帯電話を、電機錠側の非接触ＩＣ読み書き装置にかざすことにより電気錠を解錠することが記載されている。
【先行技術文献】
【特許文献】
【０００３】
【特許文献１】特開２０１４−１５９６９２号公報
【特許文献２】特開２００９−２９３３１７号公報
【発明の概要】
【発明が解決しようとする課題】
【０００４】
特許文献１および特許文献２に記載のシステムでは、電気錠装置側にＩＣチップのリーダ／ライタなどのアクティブな通信を行う装置が備わっており、こられのシステムを導入しようとすると電気錠装置側のハードウェア構成が複雑化してしまうという問題があった。そこで、本発明は、電気錠装置のハードウェア構成を簡易にすることを目的の一つとする。
【課題を解決するための手段】
【０００５】
上述の課題を解決するため、本発明は、所定の信号を契機として解錠される電気錠と、外部装置からの電磁波によって生じる誘導起電力により動作し、無線通信を介して自機の識別子を当該外部装置に送信し、当該識別子に対応する電気錠を解錠する権限を有する端末であることが認証された当該外部装置から前記無線通信を介して前記電気錠を解錠させるための指示を受信すると、前記信号を出力するＲＦＩＤタグと、前記信号を伝送する信号線に接続され、当該信号線を介して前記信号が入力されると、前記電気錠を解錠する制御を行う制御手段とを有する電気錠装置を提供する。
【０００６】
別の好ましい態様において、前記ＲＦＩＤタグから出力された信号に応じて前記制御手段への電力の供給の有無が切り替わる電源を有し、前記制御手段は、前記電源から供給された電力を利用して前記電気錠を解錠する制御を行うことを特徴とする。
【０００７】
別の好ましい態様において、前記ＲＦＩＤタグは、前記誘導起電力を前記制御手段に供給し、前記制御手段は、前記誘導起電力を利用して前記電気錠を解錠する制御を行うことを特徴とする。
【０００８】
別の好ましい態様において、前記制御手段は、通信ネットワークに接続されていないことを特徴とする。
【０００９】
別の好ましい態様において、前記ＲＦＩＤタグは、前記電気錠装置の状態を示す情報を、前記無線通信を介して前記外部装置に送信することを特徴とする。
【００１０】
また、本発明は、電気錠装置と端末装置とを有し、前記電気錠装置は、所定の信号を契機として解錠される電気錠と、前記端末装置からの電磁波によって生じる誘導起電力により動作し、無線通信を介して自機の識別子を当該端末装置に送信し、当該識別子に対応する電気錠を解錠する権限を有する端末であることが認証された当該端末装置から前記無線通信を介して前記電気錠を解錠させるための指示を受信すると、前記信号を出力するＲＦＩＤタグと、前記信号を伝送する信号線に接続され、当該信号線を介して前記信号が入力されると、前記電気錠を解錠する制御を行う制御手段とを有し、前記端末装置は、電磁波を発生させて前記ＲＦＩＤタグから前記識別子を受信し、前記指示を前記ＲＦＩＤタグに送信するＲＦＩＤリーダ／ライタとを有する電気錠システムを提供する。
【００１１】
別の好ましい態様において、サーバ装置をさらに有し、前記サーバ装置は、前記端末装置を認証するための認証情報を記憶する第１記憶手段と、前記ＲＦＩＤタグの識別子および前記端末装置の識別子を含む情報を前記端末装置から受信する受信手段と、記認証情報および前記情報に含まれた識別子を利用して前記端末装置を認証する認証手段とを有し、前記端末装置は、前記情報を前記サーバ装置に送信する送信手段を有し、前記ＲＦＩＤリーダ／ライタは、前記サーバ装置により前記端末装置が認証されると前記指示を前記ＲＦＩＤタグに送信することを特徴とする。
【００１２】
別の好ましい態様において、前記サーバ装置は、前記認証手段により認証された端末装置の識別子を記憶する第２記憶手段を有することを特徴とする。
【００１３】
また、本発明は、ＲＦＩＤリーダ／ライタを有するコンピュータに、電気錠を有する電気錠装置に組み込まれたＲＦＩＤタグから当該ＲＦＩＤタグの識別子を、前記ＲＦＩＤリーダ／ライタを介して読み取るステップと、前記識別子に対応する電気錠を解錠する権限を有することが認証されると、当該電気錠を解錠させるための指示を、前記ＲＦＩＤリーダ／ライタを介して前記ＲＦＩＤタグに送信するステップとを実行させるためのプログラムを提供する。
【００１４】
また、本発明は、電気錠およびＲＦＩＤタグを有する電気錠装置、並びにＲＦＩＤリーダ／ライタを有する端末装置を有する電気錠システムにおける制御方法であって、前記端末装置が前記ＲＦＩＤリーダ／ライタを介して前記ＲＦＩＤタグの識別子を当該ＲＦＩＤタグから読み取るステップと、前記読み取られた識別子に対応する電気錠を解錠する権限を有する端末であるか前記端末装置を認証するステップと、前記端末装置が認証された場合、前記端末装置が前記ＲＦＩＤリーダ／ライタを介して前記電気錠を解錠させるための指示を前記電気錠装置に送信するステップと、前記指示を受信すると、前記電気錠装置が前記電気錠を解錠するステップとを有する制御方法を提供する。
【発明の効果】
【００１５】
本発明によれば、ＲＦＩＤリーダ／ライタを有する電気錠装置に比べて、電気錠装置のハードウェア構成を簡易にすることができる。
【図面の簡単な説明】
【００１６】
【図１】電気錠システムの全体構成を示す図。
【図２】端末装置およびサーバ装置の機能構成を示すブロック図。
【図３】端末装置のハードウェア構成を示すブロック図。
【図４】サーバ装置のハードウェア構成を示すブロック図。
【図５】電気錠システムにおいて行われる処理を示すシーケンスチャート。
【図６】認証データベースの一例を示す図。
【図７】認証済端末ＩＤの一覧を例示する図
【図８】電気錠装置の各部の動作を説明する図。
【図９】変形例１に係る電気錠装置の各部の動作を説明する図。
【図１０】変形例２に係る電気錠装置の各部の動作を説明する図。
【図１１】他の電気錠システムの全体構成を例示する図。
【図１２】電気錠システムにおいて行われる処理を示すシーケンスチャート。
【００１７】
１．構成
図１は、本発明の一実施形態に係る電気錠システムＣ１の全体構成を示す図である。電気錠システムＣ１は、電気錠装置１０と、端末装置２０と、サーバ装置３０とを有する。電気錠システムＣ１は、端末装置２０を利用して電気錠装置１０の電気錠を施錠または解錠するシステムである。電気錠装置１０は、対象物（例えばドア）を施錠または解錠する処理を、電力を利用して行う装置であり、例えば、オフィスビルの居室の入口、ホテルの部屋のドアなどに設けられる。端末装置２０は、例えば、スマートフォンなどの携帯端末である。電気錠システムＣ１において、端末装置２０は、電気錠装置１０の電気錠を施錠または解錠するための鍵として利用される。電気錠装置１０と端末装置２０とは、ＮＦＣ（Near Field Communication）による近距離無線通信（以下、「ＮＦＣ通信」という）を行う。この例で、ＮＦＣ通信とは、所定の国際標準規格（例えば、ISO/IEC 14443 TypeA/TypeB、ISO/IEC 18092、ISO/IEC 15693など）に準拠した通信をいう。サーバ装置３０は、端末装置２０を認証する装置である。端末装置２０とサーバ装置３０とは、インターネットなどの通信回線Ｎ１を介して通信を行う。
【００１８】
電気錠装置１０は、ＣＰＵ（Central Processing Unit）１００と、電気錠１０１と、ＮＦＣタグ１０２と、制御盤１０３と、電源１０４とを有する。ＣＰＵ１００は、プログラムを実行することにより電気錠装置１０の各部を制御する制御装置である。電気錠１０１は、錠を電気的に施錠または解錠するための機構である。
【００１９】
ＮＦＣタグ１０２は、所定の国際標準規格（例えば、ISO/IEC 14443 TypeA/TypeB、ISO/IEC 18092、ISO/IEC 15693など）に準拠したＲＦＩＤ（Radio Frequency Identification）タグであり、外部装置（この例では端末装置２０）から出力される電磁波によって生じる誘導起電力によって動作する。ＮＦＣタグ１０２は、アンテナおよびＩＣチップ（以下、「ＮＦＣチップ」という）を有する（いずれも図示略）。外部装置から出力される電磁波を受信するとアンテナに誘導起電力が生じ、ＮＦＣチップはこの誘導起電力で動作する。ＮＦＣタグ１０２は、外部から有線による電力供給を受けなくても動作する、いわばパッシブな装置である。ＮＦＣチップは、メモリを有し、このメモリにはＮＦＣタグ１０２の識別子（以下、「タグＩＤ」という）が記憶されている。
【００２０】
ＮＦＣタグ１０２は、出力端子１０２１および出力端子１０２２を有する。出力端子１０２１は、ＮＦＣチップが誘導起電力により起動された旨の信号（以下、「起動信号」という）を出力する端子であり、電源１０４に接続されている。出力端子１０２２は、起動信号に比べて情報量が豊富な信号を出力する端子であり、ＣＰＵ１００に接続されている。
【００２１】
制御盤１０３（制御手段の一例）は、電源１０４から供給される電力を利用して、電気錠１０１を施錠または解錠する制御を行う制御装置である。制御盤１０３は、信号線を介してＣＰＵ１００に接続される。なお、本実施形態において、ＣＰＵ１００および制御盤１０３は、通信ネットワークに接続されていない。
【００２２】
電源１０４は、ＣＰＵ１００および制御盤１０３に電力を供給する装置、例えば、ＵＰＳ（Uninterruptible Power Supply）である。電源１０４は、通常はオフ（電力を供給しない状態）であり、ＮＦＣタグ１０２から起動信号が入力されるとオフからオン（電力を供給する状態）に切り替わる。
【００２３】
図２は、端末装置２０およびサーバ装置３０の機能構成を示すブロック図である。端末装置２０は、ＮＦＣリーダ／ライタ２１と、送信手段２２とを有する。ＮＦＣリーダ／ライタ２１は、電磁波を発生させてＮＦＣタグ１０２からタグＩＤを受信し、電気錠１０１を解錠させるための指示（以下、「解錠指示」という）をＮＦＣタグ１０２に送信する。送信手段２２は、端末装置２０の識別子（以下、「端末ＩＤ」という）とタグＩＤとを含む情報（以下、「識別情報」という）をサーバ装置３０に送信する。
【００２４】
サーバ装置３０は、第１記憶手段３１と、受信手段３２と、認証手段３３と、第２記憶手段３４とを有する。第１記憶手段３１は、端末装置２０を認証するためのデータベース（以下、「認証データベース」という）を記憶する。認証データベースには、タグＩＤと端末ＩＤとが対応付けて登録されている。認証データベースの詳細については、後述する。受信手段３２は、識別情報を端末装置２０から受信する。認証手段３３は、認証データベースと、識別情報に含まれたタグＩＤおよび端末ＩＤとを利用して端末装置２０を認証する。第２記憶手段３４は、認証手段３３により認証された端末装置の端末ＩＤ（以下、「認証済端末ＩＤ」という）を記憶する。
【００２５】
図３は、端末装置２０のハードウェア構成を示すブロック図である。端末装置２０は、ＣＰＵ２０１と、ＲＯＭ２０２と、ＲＡＭ２０３と、ストレージ２０４と、通信部２０５と、タッチパネル２０６と、ＮＦＣリーダ／ライタ２１とを有するコンピュータである。ＣＰＵ２０１は、プログラムを実行することにより端末装置２０の各部を制御する制御装置である。ＣＰＵ２０１は、ＲＯＭ２０２またはストレージ２０４に記憶されているプログラムを読み出し、ＲＡＭ２０３を作業エリアにしてプログラムを実行する。ＲＯＭ２０２は、各種のプログラムおよびデータを記憶した不揮発性の記憶装置である。ＲＡＭ２０３は、データを記憶する揮発性の主記憶装置である。
【００２６】
ストレージ２０４は、各種のプログラムおよびデータを記憶する不揮発性の補助記憶装置である。ストレージ２０４は、電気錠を操作するためのプログラム（以下、「電気錠操作プログラム」という）を記憶する。ストレージ２０４は、また、端末ＩＤを記憶する。
【００２７】
通信部２０５は、データを送受信する手段である。通信部２０５は、通信回線Ｎ１を介して無線の通信を行うための第１の通信インタフェースとして機能し、この例では特に、通信回線Ｎ１を介してサーバ装置３０と通信を行う。
【００２８】
タッチパネル２０６は、液晶ディスプレイなどの表示面上に座標を感知するパネルが重ねて設けられた入力装置である。タッチパネル２０６には、例えば、光学式、抵抗膜方式、静電容量式、または超音波式のタッチパネルが用いられる。
【００２９】
ＮＦＣリーダ／ライタ２１は、所定の国際標準規格（例えば、ISO/IEC 14443 TypeA/TypeB、ISO/IEC 18092、ISO/IEC 15693など）に準拠したＲＦＩＤリーダ／ライタである。ＮＦＣリーダ／ライタ２１は、ＮＦＣ通信を行うための、第２の通信インタフェースとして機能する。この例では特に、電気錠装置１０とＮＦＣ通信を行う。
【００３０】
図３の例では、ストレージ２０４に記憶された電気錠操作プログラムをＣＰＵ２０１が実行することにより、図２に示した端末装置２０の機能が実現される。電気錠操作プログラムを実行しているＣＰＵ２０１により制御された通信部２０５は、送信手段２２の一例である。
【００３１】
図４は、サーバ装置３０のハードウェア構成を示すブロック図である。サーバ装置３０は、ＣＰＵ３０１と、ＲＯＭ３０２と、ＲＡＭ３０３と、ストレージ３０４と、通信部３０５とを有するコンピュータである。ＣＰＵ３０１は、プログラムを実行することによりサーバ装置３０の各部を制御する制御装置である。ＣＰＵ３０１は、ＲＯＭ３０２またはストレージ３０４に記憶されているプログラムを読み出し、ＲＡＭ３０３を作業エリアにしてプログラムを実行する。ＲＯＭ３０２は、各種のプログラムおよびデータを記憶した不揮発性の記憶装置である。ＲＡＭ３０３は、データを記憶する揮発性の主記憶装置である。
【００３２】
ストレージ３０４は、各種のプログラムおよびデータを記憶する不揮発性の補助記憶装置である。ストレージ３０４は、上述の認証データベースｄ１と認証済端末ＩＤとを記憶する。通信部３０５は、データを送受信する手段である。通信部３０５は、通信回線Ｎ１を介して通信を行うための通信インタフェースとして機能し、この例では特に、通信回線Ｎ１を介して端末装置２０と通信を行う。
【００３３】
図４の例では、ストレージ３０４に記憶されたプログラムをＣＰＵ３０１が実行することにより、図２に示したサーバ装置３０の機能が実現される。上記プログラムを実行しているＣＰＵ３０１により制御された通信部３０５は、受信手段３２の一例である。上記プログラムを実行しているＣＰＵ３０１は、認証手段３３の一例である。ストレージ３０４は、第１記憶手段３１および第２記憶手段３４の一例である。
【００３４】
２．動作
図５は、電気錠システムＣ１において行われる処理を示すシーケンスチャートである。図５では、端末装置２０において電気錠操作プログラムが実行されている。ステップＳ１において、端末装置２０のＣＰＵ２０１は、ＮＦＣリーダ／ライタ２１を介して電気錠装置１０のＮＦＣタグ１０２からタグＩＤを読み取る。タグＩＤの読み取りは、ユーザが電気錠装置１０のＮＦＣタグ１０２に端末装置２０をかざすことにより行われる。ＮＦＣタグ１０２に端末装置２０がかざされると、ＮＦＣタグ１０２のアンテナにはＮＦＣリーダ／ライタ２１からの電磁波により誘導起電力が発生する。ＮＦＣタグ１０２に内蔵されたＮＦＣチップは、この誘導起電力で起動し、タグＩＤをＮＦＣリーダ／ライタ２１に送信する。ＣＰＵ２０１は、読み取ったタグＩＤをＲＡＭ２０３に記憶する。
【００３５】
ステップＳ２において、ＣＰＵ２０１は、電気錠装置１０および端末装置２０の識別情報を、通信回線Ｎ１を介してサーバ装置３０に送信する。具体的には、ＣＰＵ２０１は、ＲＡＭ２０３に記憶されたタグＩＤと、ストレージ２０４に記憶された端末ＩＤとを読み出して、これらのＩＤを含む識別情報をサーバ装置３０に送信する。なお、識別情報には、タグＩＤと端末ＩＤの他に、予め設定された暗証番号などの情報が含まれていてもよい。この場合、暗証番号は、例えば、ユーザがタッチパネル２０６を操作することにより入力される。
【００３６】
ステップＳ３において、サーバ装置３０のＣＰＵ３０１は、端末装置２０の認証を行う。ＣＰＵ３０１は、ストレージ３０４に記憶された認証データベースｄ１を参照することにより端末装置２０の認証を行う。
【００３７】
図６は、認証データベースｄ１の一例を示す図である。図６に示す認証データベースｄ１においては、タグＩＤと、端末ＩＤとが互いに関連付けて記憶されている。「タグＩＤ」の項目には、サーバ装置３０が電気錠１０１の解錠を管理する電気錠装置１０におけるタグＩＤが格納される。「端末ＩＤ」の項目には、電気錠１０１を解錠する権限が与えられた端末装置２０の端末ＩＤが格納される。電気錠装置１０は、例えば、オフィスビルの居室の入口に一つずつ設けられている。各電気錠装置１０の電気錠１０１は常時施錠されており、端末装置２０から解錠指示が送信されたときだけ所定の時間、解錠される。図６に示す認証データベースｄ１は、つまり、各電気錠装置１０が設けられた居室に入る権限を有する人のリストである。図６の例では、タグＩＤ「tag01」に対して端末ＩＤ「device01」、「device02」、および「device03」が関連付けられており、タグＩＤ「tag02」に対して端末ＩＤ「device01」および「device04」が関連付けられている。ステップＳ３において、ＣＰＵ３０１は、端末装置２０から受信された識別情報に含まれるタグＩＤと端末ＩＤとが認証データベースｄ１において関連付けて記憶されている場合に当該端末装置２０を認証する。なお、識別情報に含まれるタグＩＤと端末ＩＤとが認証データベースｄ１に関連付けて記憶されていない場合には、ＣＰＵ３０１は端末装置２０を認証しない。また、認証データベースｄ１には、端末装置２０に設定された暗証番号などの情報が端末ＩＤに関連付けて記憶されていてもよい。この場合、ＣＰＵ３０１は、端末装置２０から受信された識別情報に含まれる端末ＩＤと暗証番号とが認証データベースｄ１において関連付けて記憶されている場合に当該端末装置２０を認証する。
【００３８】
再び図５を参照する。ステップＳ４において、ＣＰＵ３０１は、ステップＳ３において認証された端末装置２０の端末ＩＤを認証済端末ＩＤとしてストレージ３０４に記憶する。認証済端末ＩＤは、例えば、電気錠システムＣ１の管理者が、電気錠１０１の施錠または解錠のログを管理するために用いられる。
【００３９】
図７は、電気錠１０１の解錠のログを例示する図である。この例で、端末ＩＤは、タグＩＤごとに記録されている。このログには、例えば、サーバ装置３０が端末装置２０を認証した時刻が記録される。すなわち、このログは、いつ誰がどの居室に入ったかの記録である。図７の一覧では、例えば、タグＩＤ「tag01」が与えられたＮＦＣタグ１０２を有する電気錠装置１０について、端末ＩＤ「device01」により識別される端末装置２０の認証が２０１４年１月１日１４時３０分に行われたことが示されている。
【００４０】
再び図５を参照する。ステップＳ５において、ＣＰＵ３０１は、ステップＳ３における認証の結果を端末装置２０に送信する。
【００４１】
認証の結果が認証可である場合、端末装置２０のＣＰＵ２０１は、解錠指示を電気錠装置１０に送信する（ステップＳ６）。ユーザは、例えば、ステップＳ１からステップＳ６までの間、端末装置２０をＮＦＣタグ１０２にかざし続けている。別の例で、ユーザは、ステップＳ１においてＮＦＣタグ１０２からタグＩＤを読み取った後に端末装置２０をＮＦＣタグ１０２から離し、認証の結果が受信された後で再び端末装置２０をＮＦＣタグ１０２にかざしてもよい。ステップＳ６において解錠指示が送信されると、端末装置２０は、例えば、通知音を出力する。ユーザは、この通知音により、認証の結果が認証可であること、および、解錠指示の送信がされたことを確認する。なお、認証の結果が認証不可である場合、端末装置２０は、例えば、認証可の場合と異なる通知音を出力する。
【００４２】
解錠指示を受信すると、ＮＦＣタグ１０２は、電気錠１０１を解錠させるための信号を出力する（ステップＳ７）。
【００４３】
図８は、ステップＳ７において電気錠１０１が解錠されるときの電気錠装置１０の各部の動作を説明する図である。ＮＦＣタグ１０２は、端末装置２０から解錠指示を受信すると電源１０４に起動信号を出力する（図８（ａ））。電源１０４は、起動信号が入力されるとオフからオンに切り替わる。電源１０４は、オフからオンに切り替わると、ＣＰＵ１００および制御盤１０３に電力を供給する（図８（ｂ））。ＣＰＵ１００および制御盤１０３は、電源１０４から電力が供給されると起動する。ＣＰＵ１００が起動すると、ＮＦＣタグ１０２は、電気錠１０１を解錠させるための信号（以下、「解錠信号」という）を、Ｉ２Ｃ（Inter-Integrated Circuit）通信などの通信方式によりＣＰＵ１００に出力する（図８（ｃ））。ＣＰＵ１００は、ＮＦＣタグ１０２から解錠信号が入力されると、当該解錠信号を制御盤１０３に伝送する（図８（ｄ））。制御盤１０３は、ＣＰＵ１００から解錠信号が入力されると、電気錠１０１を解錠する制御を行う（図８（ｅ））。制御盤１０３は、例えば図示せぬモータを駆動することによりドアのサムターンを回す。
【００４４】
以上の処理により、電気錠装置１０のＮＦＣタグ１０２に端末装置２０をかざすことにより、電気錠１０１が解錠される。従来のシステムでは、電気錠装置側すなわちドア側にＮＦＣリーダ／ライタが設けられ、ユーザが携帯する端末装置にＮＦＣタグが組み込まれていた。そして、電気錠装置が端末装置のＮＦＣタグを読み取ることにより電気錠が施錠または解錠されていた。このような従来のシステムでは、ドアにＮＦＣリーダ／ライタを設けることから、電気錠装置の設置コストが高くなるという問題があった。また、電気錠装置は、ＮＦＣタグの読み取りに常時待機するため、ＮＦＣリーダ／ライタから電磁波が出力し続ける必要があった。そのため、消費電力が増大してしまうという問題があった。さらに、従来のシステムでは、電気錠装置がＮＦＣタグを読み取ってユーザを認証する機能を備えている必要があるため、ユーザを認証するためのデータを電気錠装置に登録し、または、電気錠装置をネットワークに接続して認証を行う必要があり、設置コストおよび管理コストが高くなるという問題があった。加えて、従来のシステムでは、電気錠装置のＣＰＵまたは制御盤に対して電源線や通信線を外部からつなぐ必要があり、設置コストが高くなり、また、場所によっては設置することが不可能となる問題があった。本実施形態によれば、従来のシステムにおけるこれらの問題が解決される。すなわち、本実施形態によれば、ドアにＮＦＣリーダ／ライタを設ける必要がないため、従来のシステムに比べて電気錠装置の設置コストを低減することができる。また、本実施形態によれば、ＮＦＣタグ１０２に対して外部からの有線による電力供給が不要であるため、従来のシステムに比べて電気錠装置１０の消費電力を低減することができる。さらに、本実施形態によれば、電気錠装置がユーザを認証する機能を備えている必要がないため、従来のシステムに比べて電気錠装置の設置コストおよび管理コストを低減することができる。加えて、本実施形態によれば、ＣＰＵ１００および制御盤１０３に対して電源線や通信線を外部からつなぐ必要がないため、従来のシステムに比べて設置コストが低減され、また、設置場所の制限も解消される。
【００４５】
３．変形例
本発明は、上述の実施形態に限定されるものではなく、種々の変形実施が可能である。以下、変形例をいくつか説明する。以下で説明する変形例のうち、２つ以上のものが組み合わされて用いられてもよい。
【００４６】
（１）変形例１
電気錠装置１０の構成は、実施形態に記載したものに限らない。例えば、電気錠装置１０は、ＣＰＵ１００を有していなくてもよい。
【００４７】
図９は、変形例１に係る電気錠装置１０のハードウェア構成と、当該電気錠装置１０が電気錠１０１を解錠するときの各部の動作とを説明する図である。図９に示す電気錠装置１０は、ＣＰＵ１００を有しない点が、図１に示した電気錠装置１０の構成とは異なる。変形例１において、ＮＦＣタグ１０２の出力端子１０２１は電源１０４に接続されている。
【００４８】
変形例１において、ＮＦＣタグ１０２は、端末装置２０から解錠指示を受信すると電源１０４に起動信号を出力する（図９（ａ））。電源１０４は、起動信号が入力されるとオフからオンに切り替わる。電源１０４は、オフからオンに切り替わると、制御盤１０３に電力を供給する（図９（ｂ））。制御盤１０３は、電源１０４から電力が供給されると起動し、電気錠１０１を解錠する制御を行う（図９（ｃ））。なお、変形例１において、起動信号、および、電源１０４から制御盤１０３に伝送される信号（電力）は、いずれも電気錠１０１を解錠させるための信号に相当する。変形例１によれば、ＣＰＵ１００を電気錠装置１０に設けることなく電気錠システムＣ１を構成することができる。したがって、電気錠装置１０の構成をより簡易にすることができる。
【００４９】
（２）変形例２
電気錠装置１０は、電源１０４を有していなくてもよい。この場合、ＮＦＣタグ１０２において発生した誘導起電力を利用して電気錠１０１を解錠する制御が行われてもよい。
【００５０】
図１０は、変形例２に係る電気錠装置１０のハードウェア構成と、当該電気錠装置１０が電気錠１０１を解錠するときの各部の動作とを説明する図である。図１０に示す電気錠装置１０は、ＣＰＵ１００および電源１０４を有しない点が、図１に示した電気錠装置１０の構成とは異なる。変形例２において、ＮＦＣタグ１０２の出力端子１０２１は制御盤１０３に接続されている。
【００５１】
変形例２において、ＮＦＣタグ１０２は、端末装置２０から解錠指示を受信すると、自らのアンテナで発生した誘導起電力を制御盤１０３に供給する（図１０（ａ））。制御盤１０３は、ＮＦＣタグ１０２から誘導起電力が供給されると起動し、当該誘導起電力を利用して電気錠１０１を解錠する制御を行う（図１０（ｂ））。なお、変形例２において、ＮＦＣタグ１０２から制御盤１０３に供給される誘導起電力は、電気錠１０１を解錠させるための信号に相当する。変形例２によれば、電源１０４を電気錠装置１０に設けることなく電気錠システムＣ１を構成することができる。したがって、電気錠装置１０の構成をより簡易にすることができる。
【００５２】
（３）変形例３
電気錠システムＣ１は、端末装置を利用して電気錠を施錠または解錠する他の電気錠システムと併用されてもよい。この場合、複数の電気錠システムの各々において端末装置２０の認証が共通するサーバ装置３０において行われ、当該サーバ装置３０において各電気錠システムでの認証済端末ＩＤが一括してストレージ３０４に記憶されてもよい。
【００５３】
図１１は、電気錠システムＣ１と併用される他の電気錠システムＣ２の全体構成を例示する図である。電気錠システムＣ２は、電気錠装置１１と、端末装置２０と、サーバ装置３０と、サーバ装置４０とを有する。サーバ装置４０は、制御盤１１３を制御する装置である。サーバ装置４０は、信号線を介して制御盤１１３に接続される。サーバ装置４０とサーバ装置３０とは、通信回線Ｎ１を介して通信を行う。サーバ装置４０のハードウェア構成はサーバ装置３０と同様であり、サーバ装置４０は、ＣＰＵと、ＲＯＭと、ＲＡＭと、ストレージと、通信部とを有する。
【００５４】
電気錠装置１１は、電気錠１１１と、ＮＦＣタグ１１２と、制御盤１１３とを有する。電気錠１１１、ＮＦＣタグ１１２、および制御盤１１３の構成は、電気錠装置１０のものと同様である。電気錠装置１１において、制御盤１１３は、図示せぬ商用電源に接続される。
【００５５】
図１２は、電気錠システムＣ２において行われる処理を示すシーケンスチャートである。ステップＳ１１からステップＳ１４においては、図５に示したステップＳ１からステップＳ４と同様の処理が行われる。ステップＳ１５において、サーバ装置３０のＣＰＵ３０１は、ステップＳ１３における認証の結果をサーバ装置３０に送信する。なお、認証の結果が認証可である場合、ステップＳ１５において送信される情報には、電気錠１１１の解錠を許可する電気錠装置１１の識別子（以下、「装置ＩＤ」という）が含まれる。装置ＩＤは、例えば、サーバ装置３０のストレージ３０４においてタグＩＤと装置ＩＤとが対応付けて記憶されている。ＣＰＵ３０１は、この情報を参照することにより、識別情報に含まれたタグＩＤに対応する装置ＩＤを特定する。なお、変形例３において、電気錠システムＣ１における処理が行われるのか、それとも、電気錠システムＣ２における処理が行われるのか（すなわち、サーバ装置３０が認証の結果を端末装置２０に送信するのか（ステップＳ５）、それとも、サーバ装置４０に送信するのか（ステップＳ１５））は、例えば、ＣＰＵ３０１が、タグＩＤの内容を解析することにより決定される。具体的には、あるＮＦＣタグがＮＦＣタグ１０２であるのか、それとも、ＮＦＣタグ１１２であるのかを示す情報がタグＩＤに含まれており、ＣＰＵ３０１が、この情報を解析することにより２つの処理のいずれが行われるのかが決定される。ステップＳ１６において、サーバ装置のＣＰＵは、解錠が許可された電気錠装置１１に対して解錠指示を送信する。なお、ステップＳ１３における認証の結果が認証不可である場合には、解錠指示は送信されない。ステップＳ１７において、電気錠装置１１は、サーバ装置４０から解錠指示が入力されると、電気錠１１１を解錠する。
【００５６】
変形例３によれば、電気錠システムＣ１と他の電気錠システムにおいて電気錠を施錠または解錠するために利用された端末装置２０のログが一のサーバ装置３０において一括して管理される。なお、電気錠システムＣ１は、電気錠システムＣ２以外の電気錠システムと併用されてもよい。例えば、電気錠装置側すなわちドア側にＮＦＣリーダ／ライタが設けられ、ＮＦＣタグが組み込まれた端末装置またはＮＦＣカードをユーザがドアにかざすことにより電気錠が施解錠される従来の電気錠システムが、電気錠システムＣ１と併用されてもよい。この場合にも、サーバ装置３０は、従来の電気錠システムと電気錠システムＣ１の各々における電気錠の施錠または解錠のログを一括して管理してもよい。例えば、従来の電気錠システムが導入された施設の一部に、配線上の理由から従来の電気錠装置を設けることができないドアがある場合に、このドアに対して本発明に係る電気錠装置１０を導入することにより、新たな配線を敷設することなく電気錠システムの規模を拡張してもよい。
【００５７】
（４）変形例４
ＮＦＣタグ１０２は、電気錠装置１０の状態を示す情報を、ＮＦＣ通信を介して端末装置２０に送信してもよい。例えば、ステップＳ６において解錠指示が送信された後に、電源１０４の残量を示す情報（以下、「残量情報」という）がＮＦＣタグ１０２から端末装置２０に送信されてもよい。この場合、ＣＰＵ１００は、電源１０４から電力が供給されて起動すると、電源１０４の残量を特定し、残量情報をＮＦＣタグ１０２に出力する。ＮＦＣタグ１０２は、ＣＰＵ１００から残量情報が入力されると、ＮＦＣ通信を介して当該残量情報を端末装置２０に送信する。端末装置２０は、残量情報をタッチパネル２０６に表示してもよいし、サーバ装置３０に送信してもよい。これにより、電源１０４の残量を端末装置２０またはサーバ装置３０において確認することができる。特に、残量情報がサーバ装置３０に送信される例では、電気錠システムＣ１の管理者が、電源１０４の残量を確認するために電気錠装置１０が設置された場所に行かなくても、サーバ装置３０において電源１０４の残量を確認することができる。
【００５８】
別の例で、電気錠１０１が施錠されているか、それとも解錠されているかを示す情報（以下、「施解錠情報」という）がＮＦＣタグ１０２から端末装置２０に送信されてもよい。この場合、ＣＰＵ１００は、電源１０４から電力が供給されて起動すると、制御盤１０３が最後に電気錠１０１を施錠したか、それとも解錠したかを特定し、施解錠情報をＮＦＣタグ１０２に出力する。制御盤１０３が最後に電気錠１０１を施錠したか、それとも解錠したかは、例えば、ＣＰＵ１００が制御盤１０３と通信を行うことにより特定される。ＮＦＣタグ１０２は、ＣＰＵ１００から施解錠情報が入力されると、ＮＦＣ通信を介して当該施解錠情報を端末装置２０に送信する。これにより、端末装置２０のユーザは、電気錠１０１を解錠しようとするときに、電気錠１０１の状態を確認することができる。
【００５９】
（５）変形例５
端末装置２０が認証される方法は、実施形態に記載した方法に限らない。サーバ装置３０は、例えば、タイムスタンプ方式またはチャレンジ・レスポンス方式などによるワンタイムパスワードを用いて端末装置２０を認証してもよい。また、端末装置２０の認証は、サーバ装置３０で行われなくてもよい。例えば、端末装置２０を認証するためのプログラムが予め端末装置２０にインストールされており、端末装置２０は、電気錠を施錠または解錠するにあたり当該プログラムを実行して自装置を認証してもよい。この場合、端末装置２０は、タグＩＤを読み取ると、自装置の認証を行い、認証の結果が認証可であった場合に解錠指示を送信する。なお、上述した電気錠操作プログラムが実行されることによりに、端末装置２０の認証が行われてもよい。さらに、端末装置２０の認証が行われるタイミングは、実施形態に記載したタイミングに限らない。例えば、電気錠操作プログラムが端末装置２０にインストールされる際に端末装置２０の認証が行われてもよい。この場合、図５に示した処理のうち、ステップＳ２からステップＳ５の処理は省略されてもよい。別の例で、端末装置２０がＮＦＣタグ１０２からタグＩＤを読み取る前に端末装置２０の認証が行われてもよい。この場合、端末装置２０は、認証の結果が認証可であった場合にＮＦＣタグ１０２からタグＩＤを読み取ってもよい。
【００６０】
（６）変形例６
電気錠装置１０が利用される場所は実施形態に記載した場所に限らない。例えば、カラオケルーム、倉庫、会員制の施設の入口、ロッカーや金庫の扉などに電気錠装置１０が利用されてもよい。また、本発明に係る電気錠システムＣ１は、種々の場面で利用することができる。例えば、電気錠システムＣ１は、ホテルのルームキーシステムとして用いることができる。この例で、ユーザは、端末装置２０の電気錠操作プログラムを介してホテルの宿泊の予約を行う。ユーザがクレジットカードにより宿泊料金の決済を行うと、サーバ装置から端末装置２０に認証情報が送信される。この認証情報には、ホテルの部屋の番号（ＮＦＣタグ１０２のタグＩＤ）と宿泊日（有効期限）が含まれている。ユーザが有効期限内に予約した部屋のドアのＮＦＣタグ１０２に端末装置２０をかざすと、ドアが解錠される。一方、有効期限外に端末装置２０をかざしたり、予約していない部屋のドアのＮＦＣタグ１０２に端末装置２０をかざしたりしても、ドアは解錠されない。この例では、ホテルのフロントでチェックインを省くことができる。別の例で、端末装置２０を分譲マンションのルームキーとして用いることができる。この例で、ユーザは分譲マンションを購入すると、購入した部屋専用のアプリケーションをダウンロードすることができる。このアプリケーションには、部屋のドアのタグＩＤが認証情報として含まれている。この例では、予め購入者の認証が行われているため、ドアのＮＦＣタグ１０２に端末装置２０をかざすたびにサーバに認証処理を依頼する必要がなく、ドアが解錠される。
【００６１】
（７）変形例７
端末装置２０およびサーバ装置３０のハードウェア構成は、図３および図４に示した構成に限らない。図５に示した処理が実行されれば、端末装置２０およびサーバ装置３０はいかなるハードウェア構成であってもよい。例えば、端末装置２０は、タッチパネル２０６を有していなくてもよい。また、端末装置２０は、スマートフォンに限らない。端末装置２０は、デジタルオーディオプレイヤー、または、スマートウォッチなどの情報通信端末であってもよい。
【００６２】
（８）変形例８
電気錠システムＣ１は、サーバ装置３０を有していなくてもよい。この場合、図５に示した処理のうち、ステップＳ２からステップＳ５の処理は行われない。なお、ステップＳ３における端末装置２０の認証が行われない場合であっても、上述した電気錠操作プログラムが端末装置２０にインストールされる際に予め端末装置２０の認証が行われていれば、電気錠１０１の不正解錠は防止される。
【００６３】
（９）変形例９
本稿における「ＮＦＣタグ」および「ＮＦＣリーダ／ライタ」は、実施形態で例示した国際標準規格に準拠したものに限定されない。ＮＦＣタグは、リーダ／ライタから出力される電磁波による誘導起電力によって動作するパッシブなＩＣタグであって、自身の識別情報をリーダ／ライタに出力するものであれば、どのような規格に準拠したものであってもよい。ＮＦＣリーダ／ライタについても同様である。
【００６４】
（１０）変形例１０
電気錠操作プログラムは、磁気記憶媒体（磁気テープ、磁気ディスク（ＨＤＤ、ＦＤ（Flexible Disk））など）、光記憶媒体（光ディスク（ＣＤ（Compact Disk）、ＤＶＤ）など）、光磁気記憶媒体、半導体メモリ（フラッシュＲＯＭなど）などのコンピュータが読み取り可能な記憶媒体に記憶した状態で提供されてもよい。また、このプログラムは、インターネットなどのネットワーク経由でダウンロードされてもよい。
【００６５】
（１１）その他の変形例
上述の実施形態では、電気錠１０１が解錠される場合を中心に説明したが、電気錠システムＣ１は、電気錠１０１を施錠するために用いられてもよい。
認証済端末ＩＤは、サーバ装置３０により記憶される場合に限らない。認証済端末ＩＤは、サーバ装置３０とは異なる他の装置に記憶されてもよい。
【符号の説明】
【００６６】
１０…電気錠装置、２０…端末装置、３０…サーバ装置、１００…ＣＰＵ、１０１…電気錠、１０２…ＮＦＣタグ、１０２１,１０２２…出力端子、１０３…制御盤、１０４…電源、２１…ＮＦＣリーダ／ライタ、２２…送信手段、３１…第１記憶手段、３２…受信手段、３３…認証手段、３４…第２記憶手段、２０１…ＣＰＵ、２０２…ＲＯＭ、２０３…ＲＡＭ、２０４…ストレージ、２０５…通信部、２０６…タッチパネル、３０１…ＣＰＵ、３０２…ＲＯＭ、３０３…ＲＡＭ、３０４…ストレージ、３０５…通信部、１１…電気錠装置、１１１…電気錠、１１２…ＮＦＣタグ、１１３…制御盤
【図１】
2016089554.tif 000003
【図２】
2016089554.tif 000004
【図３】
2016089554.tif 000005
【図４】
2016089554.tif 000006
【図５】
2016089554.tif 000007
【図６】
2016089554.tif 000008
【図７】
2016089554.tif 000009
【図８】
2016089554.tif 000010
【図９】
2016089554.tif 000011
【図１０】
2016089554.tif 000012
【図１１】
2016089554.tif 000013
【図１２】
2016089554.tif 000014